(57)【要約】      （修正有）【課題】対象者の飲食物の過剰摂取を簡易に判定できる過剰摂取判定装置、及びそれを備えた過剰摂取警告装置を提供する。【解決手段】過剰摂取判定装置１０には、対象者による飲食物の摂取開始前及び摂開始後における該対象者の心拍信号を検出するための生体情報検出部３２と、飲食物の摂取開始前及び摂取開始後に生体情報検出部３２が検出した心拍信号から求めた指標の変化に基づいて、上記対象者が上記飲食物を過剰に摂取しているか否か判定する判定部３８とが設けられる。【選択図】図２
2016101305.tif 000002
【特許請求の範囲】
【請求項１】
過剰摂取判定装置であって、
対象者（H）による飲食物の摂取開始前及び摂開始後における該対象者（H）の心拍信号を検出するための生体情報検出部（32）と、
上記飲食物の摂取開始前及び摂取開始後に上記生体情報検出部（32）が検出した心拍信号から求めた指標の変化に基づいて、上記対象者（H）が上記飲食物を過剰に摂取しているか否か判定する判定部（38）と
を備えている
ことを特徴とする過剰摂取判定装置。
【請求項２】
請求項１において、
上記判定部（38）は、上記飲食物の一種である食物の過剰摂取を判定する食べ過ぎ判定部（39）を有している
ことを特徴とする過剰摂取判定装置。
【請求項３】
請求項２において、
上記食べ過ぎ判定部（39）は、上記食物の摂取開始前に上記生体情報検出部（32）が検出した心拍信号から求めた上記対象者（H）の副交感神経活動が、上記食物の摂取開始より所定時間が経過しても増大しないことを示す第１の判定条件と、食物の摂取開始前の対象者（H）の副交感神経活動が上記食物の摂取開始後に減少したことを示す第２の判定条件とのいずれか一方又は両方が成立すると、上記対象者（H）が上記食物を過剰に摂取していると判定するように構成される
ことを特徴とする過剰摂取判定装置。
【請求項４】
請求項１乃至３のいずれか１つにおいて、
上記判定部（38）は、上記飲食物の一種であるアルコール飲料の過剰摂取を判定する飲み過ぎ判定部（40）を有している
ことを特徴とする過剰摂取判定装置。
【請求項５】
請求項４において、
上記飲み過ぎ判定部（40）は、少なくとも、上記アルコール飲料の摂取開始前に上記生体情報検出部（32）が検出した心拍信号から求めた上記対象者（H）の心拍数が、上記アルコール飲料の摂取開始後に増大したことを示す第３の判定条件が成立すると、上記対象者（H）が飲物を過剰に摂取していると判定するように構成される
ことを特徴とする過剰摂取判定装置。
【請求項６】
請求項５において、
上記飲み過ぎ判定部（40）は、上記第３の判定条件が成立し、且つ上記アルコール飲料の摂取開始前に上記生体情報検出部（32）が検出した心拍信号から求めた副交感神経活動が、上記アルコール飲料の摂取開始より所定時間が経過しても増大しないことを示す第４の判定条件と、上記アルコール飲料の摂取開始前の対象者（H）の副交感神経活動が該アルコール飲料の摂取開始後に減少したことを示す第５の判定条件とののいずれか一方又は両方が成立すると、上記対象者（H）が上記アルコール飲料を過剰に摂取していると判定するように構成される
ことを特徴とする過剰摂取判定装置。
【請求項７】
請求項１乃至６のいずれか１つにおいて、
対象者（H）が着座する座部（C1）に設けられ、該対象者（H）の体動が作用する感圧チューブ（20）と、
上記感圧チューブ（20）の内圧変化を検知し、該内圧変化に応じた信号を出力する受圧部（31）とを備え、
上記生体情報検出部（32）は、上記受圧部（31）から出力された信号に基づき対象者（H）の心拍信号を検出するように構成される
ことを特徴とする過剰摂取判定装置。
【請求項８】
過剰摂取警告装置であって、
請求項１乃至７のいずれか１つの過剰摂取判定装置（10）と、
上記過剰摂取判定装置（10）により上記対象者（H）が上記飲食物を過剰に摂取していると判定されると、警告を示すサインを表する表示部（61）とを備えている
ことを特徴とする過剰摂取警告装置。
【発明の詳細な説明】
【技術分野】
【０００１】
本発明は、過剰摂取判定装置、及びそれを備えた過剰摂取警告装置に関するものである。
【背景技術】
【０００２】
従来技術として、対象者の食物の過剰摂取を判定する過剰摂取判定装置がある（特許文献１を参照）。この過剰摂取判定装置では、同文献の例えば段落００１６に記載のように、対象者が摂取した食物の種類や量が適宜サーバに入力される。また、サーバには、対象者の年齢、日々のカロリー消費量等のデータも入力される。過剰摂取判定装置では、このようなデータに基づき、対象者に対し、食物の摂取を制限する注意がなされる。
【先行技術文献】
【特許文献】
【０００３】
【特許文献１】特開２００１−２７５９９７号公報
【発明の概要】
【発明が解決しようとする課題】
【０００４】
特許文献１に記載の過剰摂取判定装置では、対象者の年齢、カロリー消費量、摂取した食物の種類や量などを適宜入力する必要がある。このため、データの入力に手間がかかったり、データの処理量も多くなったりするという問題が生じる。
【０００５】
本発明は、かかる点に鑑みてなされたものであり、その目的は、対象者の飲食物の過剰摂取を簡易に判定できる過剰摂取判定装置、及びそれを備えた過剰摂取警告装置を提供することである。
【課題を解決するための手段】
【０００６】
第１の発明は、過剰摂取判定装置を対象とし、対象者（H）による飲食物の摂取開始前及び摂開始後における該対象者（H）の心拍信号を検出するための生体情報検出部（32）と、上記飲食物の摂取開始前及び摂取開始後に上記生体情報検出部（32）が検出した心拍信号から求めた指標の変化に基づいて、上記対象者（H）が上記飲食物を過剰に摂取しているか否か判定する判定部（38）とを備えていることを特徴とする。
【０００７】
第１の発明では、生体情報検出部（32）が、対象者（H）による飲食物の摂取開始前と、該飲食物の摂取開始後とのそれぞれにおいて、対象者（H）の心拍信号を検出する。判定部（38）は、飲食物の摂取開始前と該飲食物の摂取開始後とのそれぞれについて、生体情報検出部（32）が検出した心拍信号に基づく指標を比較する。心拍信号に基づく指標は、例えば対象者（H）の神経活動や心拍情報（心拍数等）を示す指標となる。そして、対象者（H）が飲食物を適当な量だけ摂取した場合と、対象者（H）が飲食物を過剰に摂取した場合とでは、飲食物の摂取の開始前と開始後とで、これらの指標の変化の挙動に差異が生じる。そこで、判定部は、このような指標の変化に基づき、対象者（H）が飲食物を過剰に摂取しているか否かを判定する。
【０００８】
第２の発明は、第１の発明において、上記判定部（38）は、上記飲食物の一種である食物の過剰摂取を判定する食べ過ぎ判定部（39）を有していることを特徴とする。
【０００９】
第２の発明では、判定部（38）の食べ過ぎ判定部（39）は、食物の摂取の開始前と開始後での心拍信号に基づく指標の変化に基づき、対象者（H）が食物を過剰に摂取しているか否かを判定する。
【００１０】
第３の発明は、第２の発明において、上記食べ過ぎ判定部（39）は、上記食物の摂取開始前に上記生体情報検出部（32）が検出した心拍信号から求めた上記対象者（H）の副交感神経活動が、上記食物の摂取開始より所定時間が経過しても増大しないことを示す第１の判定条件と、食物の摂取開始前の対象者（H）の副交感神経活動が上記食物の摂取開始後に減少したことを示す第２の判定条件とのいずれか一方又は両方が成立すると、上記対象者（H）が上記食物を過剰に摂取していると判定するように構成されることを特徴とする。
【００１１】
第３の発明では、食べ過ぎ判定部（39）は、心拍信号から求めた副交感神経活動を示す指標に基づいて対象者（H）が食物を過剰に摂取していること（以下、食べ過ぎともいう）を判定する。具体的に、食べ過ぎ判定部（39）は、以下の第１判定条件と第２判定条件のいずれか一方又は両方が成立すると、対象者（H）が食べ過ぎであると判定する。
【００１２】
第１判定条件は、食物の摂取開始前に生体情報検出部（32）が検出した心拍信号から求めた対象者（H）の副交感神経活動が、食物の摂取開始より所定時間が経過しても、増大しないことである。つまり、人が食物の摂取を開始すると、徐々に満腹感が得られ、通常であれば、人の副交感神経活動が増大する。この場合、人は食物を適度に摂取していると判断できる。これに対し、人が食物の開始を摂取して所定時間が経っても、副交感神経活動が増大しない場合、満腹中枢が正常に機能しておらず、食物を過剰に摂取していると判断できる。そこで、食べ過ぎ判定部（39）は、この第１判定条件を、食べ過ぎを判断する条件の１つとしている。
【００１３】
第２判定条件は、食物の摂取開始前に生体情報検出部（32）が検出した心拍信号から求めた対象者（H）の副交感神経活動が、食物の摂取開始後に減少したことである。つまり、人が食物の摂取を開始したにも拘わらず、副交感神経活動が減少するということは、満腹中枢が正常に機能しておらず、食物を過剰に摂取していると判断できる。そこで、食べ過ぎ判定部（39）は、この第２判定条件を、食べ過ぎを判断する条件の１つとしている。
【００１４】
第４の発明は、第１乃至第３のいずれか１つの発明において、上記判定部（38）は、上記飲食物の一種であるアルコール飲料の過剰摂取を判定する飲み過ぎ判定部（40）を有していることを特徴とする。
【００１５】
第４の発明では、判定部（38）の飲み過ぎ判定部（40）が、アルコール飲料の摂取の開始前と開始後での心拍信号に基づく指標の変化に基づき、対象者（H）がアルコール飲料を過剰に摂取している否かを判定する。
【００１６】
第５の発明は、第４の発明において、上記飲み過ぎ判定部（40）は、少なくとも、上記アルコール飲料の摂取開始前に上記生体情報検出部（32）が検出した心拍信号から求めた上記対象者（H）の心拍数が、上記アルコール飲料の摂取開始後に増大したことを示す第３の判定条件が成立すると、上記対象者（H）が飲物を過剰に摂取していると判定するように構成されることを特徴とする。
【００１７】
第５の発明では、飲み過ぎ判定部（40）は、少なくとも、心拍信号から求めた対象者（H）の心拍数に基づいて対象者（H）がアルコール飲料を過剰に摂取していること（以下、飲み過ぎともいう）を判定する。具体的に、飲み過ぎ判定部（40）は、以下の第３判定条件が少なくとも成立すると、対象者（H）が飲み過ぎであると判定する。
【００１８】
第３判定条件は、アルコール飲料の摂取開始前に生体情報検出部（32）が検出した心拍信号から求めた対象者（H）の心拍数（心拍間隔の逆数）が、アルコール摂取開始後に増大したことである。つまり、対象者（H）がアルコール飲料を過剰摂取すると、対象者（H）の心拍数が増大するため、飲み過ぎ判定部（40）は、このことを利用して対象者（H）の飲み過ぎを判定する。
【００１９】
本発明では、上述した第３の発明に係る食べ過ぎ判定部（39）と異なり、対象者（H）の心拍数の増大を示す第３判定条件を、対象者（H）が飲み過ぎであることを判定する必要条件としている。つまり、対象者（H）が食べ過ぎであっても、心拍数は増大しないが、対象者（H）が飲み過ぎであると、心拍数は増大する。従って、本発明の判定部（38）では、対象者（H）が食べ過ぎではなく、飲み過ぎであることを判別できる。
【００２０】
第６の発明は、第５の発明において、上記飲み過ぎ判定部（40）は、上記第３の判定条件が成立し、且つ上記アルコール飲料の摂取開始前に上記生体情報検出部（32）が検出した心拍信号から求めた副交感神経活動が、上記アルコール飲料の摂取開始より所定時間が経過しても増大しないことを示す第４の判定条件と、上記アルコール飲料の摂取開始前の対象者（H）の副交感神経活動が該アルコール飲料の摂取開始後に減少したことを示す第５の判定条件とののいずれか一方又は両方が成立すると、上記対象者（H）が上記アルコール飲料を過剰に摂取していると判定するように構成されることを特徴とする。
【００２１】
第６の発明では、飲み過ぎ判定部（40）は、心拍信号から求めた副交感神経活動を示す指標に基づいて対象者（H）の飲み過ぎを判定する。具体的に、飲み過ぎ判定部（40）は、上記第３判定条件が成立し、且つ以下の第４判定条件と第５判定条件のいずれか一方又は両方が成立すると、対象者（H）が飲み過ぎであると判定する。
【００２２】
第４判定条件は、アルコール飲料の摂取開始前に生体情報検出部（32）が検出した心拍信号から求めた対象者（H）の副交感神経活動が、アルコール飲料の摂取開始より所定時間が経過しても、増大しないことである。つまり、人がアルコール飲料の摂取を開始すると、対象者（H）の副交感神経活動が増大する一方、この副交感神経活動がなかなか上がらない場合、人がアルコール飲料を過剰に摂取していると判断できる。そこで、飲み過ぎ判定部（40）は、この第４判定条件を、飲み過ぎを判断する条件の１つとしている。
【００２３】
第５判定条件は、アルコール飲料の摂取開始前に生体情報検出部（32）が検出した心拍信号から求めた対象者（H）の副交感神経活動が、アルコール飲料の摂取開始後に減少したことである。つまり、人がアルコール飲料の摂取を開始したにも拘わらず、副交感神経活動が減少するということは、アルコール飲料を過剰に摂取していると判断できる。そこで、飲み過ぎ判定部（40）は、この第５判定条件を、飲み過ぎを判断する条件の１つとしている。    
【００２４】
第７の発明は、第１乃至第６のいずれか１つの発明において、対象者（H）が着座する座部（C1）に設けられ、該対象者（H）の体動が作用する感圧チューブ（20）と、該感圧チューブ（20）の内圧変化を検知し、該内圧変化に応じた信号を出力する受圧部（31）とを備え、上記生体情報検出部（32）は、上記受圧部（31）から出力された信号に基づき対象者（H）の心拍信号を検出するように構成されることを特徴とする。
【００２５】
第７の発明では、座部（C1）に着座した対象者（H）の体動が感圧チューブ（20）に作用し、感圧チューブ（20）の内圧が変化する。受圧部（31）は、この内圧変化に応じた信号を出力し、生体情報検出部（32）は、この信号に基づき心拍信号を抽出する。これにより、着座した状態の対象者（H）の飲食物の過剰摂取を容易に判断できる。
【００２６】
第８の発明は、過剰摂取警告装置を対象とし、第１乃至第７のいずれか１つの発明の過剰摂取判定装置（10）と、該過剰摂取判定装置（10）により上記対象者（H）が上記飲食物を過剰に摂取していると判定されると、警告を示すサインを表する表示部（61）とを備えていることを特徴とする。
【００２７】
第８の発明では、過剰摂取判定装置（10）の判定部（38）が、対象者（H）の飲食物の過剰摂取を判定すると、表示部（61）に警告を示すサインが表示される。これにより、対象者（H）や、対象者（H）に食事を提供する人等に、対象者（H）が飲食物を過剰に摂取していることを速やかに知らせることができる。
【発明の効果】
【００２８】
本発明では、対象者（H）が飲食物の摂取を開始する前と後とで、対象者（H）の心拍信号に基づく指標を求め、この指標の変化に基づき対象者（H）の飲食物の過剰摂取を判断している。従って、従来例のように、対象者の特徴、摂取した飲食物の種類や量等を入力することなく、簡便に飲食物の過剰摂取を判定できる。
【００２９】
また、本発明では、対象者（H）が飲食物の摂取を開始した後、この飲食物の摂取中において対象者（H）が飲食物を過剰に摂取しているか否かを判定できる。従って、過剰摂取と判定された後、対象者（H）の飲食を速やかに終了させることができ、食べ過ぎや飲み過ぎを最小限に抑えることができる。
【００３０】
また、本発明では、飲食物の摂取の開始前と開始後の指標の変化に基づき、過剰摂取を判定している。つまり、この変化は、対象者（H）の個体差を考慮した値となる。従って、対象者（H）の個体差に伴い、飲食物の過剰摂取の判定結果に誤差が生じることも抑制できる。
【００３１】
第２の発明によれば、簡便且つ迅速に対象者（H）の食べ過ぎを判定でき、且つ対象者（H）の個体差に伴い食物の過剰摂取の判定結果に誤差が生じることも抑制できる。
【００３２】
第３の発明によれば、対象者（H）の副交感神経活動の変化を利用して、対象者（H）の食べ過ぎを簡便に判定できる。
【００３３】
第４の発明によれば、簡便且つ迅速に対象者（H）の飲み過ぎを判定でき、且つ対象者（H）の個体差に伴いアルコール飲料の過剰摂取の判定結果に誤差が生じることも抑制できる。
【００３４】
第５の発明によれば、対象者（H）の心拍数の変化を利用して、対象者（H）の飲み過ぎを簡便に判定できる。対象者（H）の心拍数の増大は、食べ過ぎでは生ぜず、飲み過ぎに起因して生じるものである。従って、対象者（H）が食べ過ぎではなく、飲み過ぎであることを確実に判別できる。
【００３５】
第６の発明によれば、心拍数の増大に加えて、対象者（H）の副交感神経活動の変化を利用することで、対象者（H）の飲み過ぎを簡便且つより確実に判定できる。
【００３６】
第７の発明によれば、椅子、座席、座布団等の座部（C1）に着座した対象者（H）の飲食物の過剰摂取を簡便に判定できる。
【００３７】
第８の発明によれば、対象者（H）が飲食物を過剰に摂取したことを表示部（61）を介して、対象者（H）や、食事の提供者、飲食店の店員等に速やかに知らせることができる。
【図面の簡単な説明】
【００３８】
【図１】図１は、実施形態に係る過剰摂取警告システムの全体構成を示す概略の構成図である。
【図２】図２は、実施形態に係る過剰摂取警告システムのブロック図である。
【図３】図３は、実施形態に係る過剰摂取警告装置の動作を示すフローチャートである。
【図４】図４は、食べ始め前と食べ始め後における心拍信号に基づく指標の変化の一例を通常の場合と過剰摂取の場合とで対比した表である。
【図５】図５は、アルコール飲料の飲み始めと飲み始め後における心拍信号に基づく指標の変化の一例を通常の場合と過剰摂取の場合とで対比した表である。
【図６】図６は、変形例１に係る過剰摂取警告システムのブロック図である。
【図７】図７は、変形例２に係る過剰摂取警告システムのブロック図である。
【発明を実施するための形態】
【００３９】
以下、本発明の実施形態を図面に基づいて詳細に説明する。なお、以下の実施形態は、本質的に好ましい例示であって、本発明、その適用物、あるいはその用途の範囲を制限することを意図するものではない。
【００４０】
本発明の実施形態は、対象者（H）が過剰に飲食物を摂取すると、その旨を対象者（H）に警告する過剰摂取警告システム（S）（過剰摂取警告装置）である。本実施形態の過剰摂取警告システム（S）は、一般家庭の家屋内に適用されている。図１に示すように、過剰摂取警告システム（S）は、例えば複数の対象者（H）が飲食を行うダイニングルームに設けられる。
【００４１】
ダイニングルームには、１つのテーブル（D）と、このテーブル（D）を囲むように配置される複数（本例では３つ）の椅子（C）とが設置される。各椅子（C）は、対応する対象者（H）が着座する座部（C1）と、この対象者（H）がもたれる背もたれ部（C2）とがそれぞれ設けられる。なお、図１では、３つの椅子（C）に対応する３人の対象者（H）のうち一人のみを図示している。過剰摂取警告システム（S）には、各椅子（C）及び対象者（H）に対応するように複数（本例では３つ）の過剰摂取判定装置（10）が設けられる。また、過剰摂取警告システム（S）には、各過剰摂取判定装置（10）のそれぞれの判定結果を示す信号が入力される１つの端末部（60）が設けられる。
【００４２】
〈過剰摂取判定装置の全体構成〉
図１及び図２に示すように、実施形態に係る過剰摂取判定装置（10）は、１本の感圧チューブ（20）と、該感圧チューブ（20）の一端が接続される１つの判定ユニット（30）と、該判定ユニット（30）から出力された信号を上記端末部（60）へ送信するための１つの通信部（50）とをそれぞれ備えている。
【００４３】
〈感圧チューブ〉
感圧チューブ（20）は、中空のチューブ状に構成されている。感圧チューブ（20）は、内径が約４ｍｍの樹脂製（例えば塩化ビニル製）である。各感圧チューブ（20）は、各椅子（C）の座部（C1）に対応するように設けられる。具体的に、感圧チューブ（20）は、座部（C1）の上面に設けられる感圧部本体（21）と、該感圧部本体（21）と判定ユニット（30）とを接続する中継部（22）とを有している。
【００４４】
感圧部本体（21）は、座部（C1）のうち後方寄り（背もたれ部（C2）寄り）に配置される。感圧部本体（21）は、座部（C1）の後縁に沿うように直線状に延びている。感圧部本体（21）は、座部（C1）の左右の両端に概ね亘っている。感圧部本体（21）の一端（中継部（22）に繋がる端部と反対側の端部）には、開口（21a）が形成される。つまり、感圧チューブ（20）は、密閉構造となっていない。従って、感圧チューブ（20）に体動が作用すると、感圧チューブ（20）の動圧が変化する。
【００４５】
中継部（22）は、感圧部本体（21）の他端と判定ユニット（30）との間に接続されている。具体的に、中継部（22）は、感圧部本体（21）の他端と判定ユニット（30）のマイクロフォン（31）との間に接続されている。中継部（22）は、感圧部本体（21）の他端から湾曲し、座部（C1）の裏面側まで延びている。
【００４６】
〈判定ユニット〉
図１に示すように、各判定ユニット（30）は、各感圧チューブ（20）に対応して１つずつ設けられる。各判定ユニット（30）は、例えば座部（C1）の裏面（下面）に固定される。図２に示すように、各判定ユニット（30）は、１つのマイクロフォン（31）と、１つの生体情報検出部（32）と、１つの判定部（38）とをそれぞれ有している。
【００４７】
〔マイクロフォン〕
マイクロフォン（31）には、感圧チューブ（20）の中継部（22）の一端が接続されている。マイクロフォン（31）は、感圧チューブ（20）の内圧が作用する受圧部を構成している。つまり、対象者（H）の体動が感圧チューブ（20）に受圧されると、感圧チューブ（20）の内圧が変化する。マイクロフォン（31）は、この内圧変化に応じた信号を出力する。
【００４８】
〔生体情報検出部〕
生体情報検出部（32）は、マイクロフォン（31）から出力された信号に基づいて対象者（H）の生体信号を検出する。生体情報検出部（32）は、対象者（H）による飲食物の摂取の開始前の期間（以下、第１期間Ｔ１ともいう）と、対象者（H）による飲食物の摂取の開始後の期間（以下、第２期間Ｔ２というもいう）との双方において、対象者（H）の生体信号を検出する。生体情報検出部（32）は、体動信号抽出部（33）と、心拍信号抽出部（34）と、心拍間隔抽出部（35）と、心拍ゆらぎ抽出部（36）と、判定指標抽出部（37）とを有している。
【００４９】
体動信号抽出部（33）は、マイクロフォン（31）から出力された信号に所定の前処理を行った後、第１期間Ｔ１と第２期間Ｔ２との双方において、対象者（H）の体動信号を抽出する。ここで、体動信号は、対象者（H）の体全体の大きな動きに由来する粗体動と、心拍・呼吸等に由来する微動とを含む信号である。
【００５０】
心拍信号抽出部（34）は、体動信号抽出部（33）で抽出された体動信号から対象者（H）の心拍に由来する心拍信号を抽出する。心拍信号抽出部（34）は、第１期間Ｔ１と第２期間Ｔ２との双方において、この心拍信号を抽出する。
【００５１】
心拍間隔抽出部（35）は、心拍信号抽出部（34）で抽出された心拍信号に基づいて心拍の間隔（搏動間隔）を求める。心拍間隔抽出部（35）は、第１期間Ｔ１と第２期間Ｔ２との双方において、この心拍間隔を求める。
【００５２】
心拍ゆらぎ抽出部（36）は、心拍間隔抽出部（35）で求めた心拍間隔の変化（これを心拍ゆらぎという）を抽出する。心拍ゆらぎ抽出部（36）は、第１期間Ｔ１と第２期間Ｔ２との双方において、この心拍ゆらぎを求める。
【００５３】
判定指標抽出部（37）は、心拍間隔抽出部（35）で求めた心拍間隔や、心拍ゆらぎ抽出部（36）で求めた心拍ゆらぎに基づいて、対象者（H）の食物の過剰摂取（以下、食べ過ぎともいう）と、対象者（H）のアルコール飲料の過剰摂取（以下、飲み過ぎともいう）を判定するための指標を求める。判定指標抽出部（37）は、第１期間Ｔ１と第２期間Ｔ２との双方において、この指標を求める。
【００５４】
具体的に、判定指標抽出部（37）は、心拍ゆらぎの周波数分析を行うために、搏動間隔データを直線補間して等時間間隔データに変換する。その後、この等時間間隔の搏動間隔データについて高速フーリエ変換（ＦＦＴ、Fast Fourier Transform）を行って、搏動間隔のゆらぎの低周波数成分ＬＦ（例えば０．０４〜０．１５Ｈｚ）と、高周波成分ＨＦ（例えば０．１５Ｈｚ以上）と、これらの比（ＬＦ／ＨＦ）を得る。
【００５５】
本実施形態の判定指標抽出部（37）は、食べ過ぎを判定する指標として第１期間Ｔ１と第２期間における上記ＨＦを求める。また、判定指標抽出部（37）は、飲み過ぎを判定する指標としても第１期間Ｔ１と第２期間における上記ＨＦを求める。このＨＦは、対象者（H）の副交感神経の活性度を示す指標となる。
【００５６】
更に、判定指標抽出部（37）は、飲み過ぎを判定する指標として第１期間Ｔ１と第２期間Ｔ２における心拍数（ＨＲ（心拍間隔の逆数））を求める。
【００５７】
〔判定部〕
判定部（38）は、第１期間Ｔ１と第２期間Ｔ２における心拍信号に基づく指標の変化に基づき、対象者（H）の飲食物の過剰摂取（飲み過ぎ及び食べ過ぎ）を判定する。本実施形態の判定部（38）は、食べ過ぎ判定部（39）と飲み過ぎ判定部（40）とを備えている。
【００５８】
食べ過ぎ判定部（39）は、対象者（H）が飲食物の一種である食物を過剰に摂取しているか否かを判定する。具体的に、食べ過ぎ判定部（39）は、第１期間Ｔ１と、第２期間Ｔ２とについて、食べ過ぎを判定する指標であるＨＦを比較し、このＨＦの変化に基づいて対象者（H）の食べ過ぎを判定する（詳細は後述する）。
【００５９】
飲み過ぎ判定部（40）は、対象者（H）が飲食物の一種であるアルコール飲料を過剰に摂取しているか否かを判定する。具体的に、飲み過ぎ判定部（40）は、第１期間Ｔ１と、第２期間Ｔ２とについて、飲み過ぎを判定する指標であるＨＦ及びＨＲをそれぞれ比較し、これらのＨＦ及びＨＲの変化に基づいて対象者（H）の飲み過ぎを判定する（詳細は後述する）。
【００６０】
〔記憶部〕
記憶部（41）は、生体情報検出部（32）で検出された各生体情報や、判定部（38）で判定された判定結果を時系列データとして記憶可能に構成されている。また、記憶部（41）に記憶されたデータは、判定部（38）や通信部（50）に出力可能に構成されている。
【００６１】
〈通信部〉
通信部（50）は、判定部（38）で判定された結果を示す信号を端末部（60）へ送信する。図１に示すように、通信部（50）は、ケーブルを介して判定ユニット（30）に接続されている。通信部（50）は、判定部（38）から出力された信号を無線（有線であってもよい）により端末部（60）へ送信するように構成される。また、通信部（50）は、端末部（60）から出力された信号を判定ユニット（30）の判定部（38）へ送信するように構成される。
【００６２】
〈端末部〉
端末部（60）は、通信部（50）から出力された信号を受信可能に構成されている。例えば端末部（60）は、スマートフォン、タブレットＰＣ、タッチパネル付きモニタ等で構成される。図２に示すように、端末部（60）は、例えば液晶モニタ等で構成される表示部（61）と、タッチパネル等で構成される操作部（62）とを有している。
【００６３】
表示部（61）は、判定部（38）が対象者（H）の食べ過ぎを判定すると、その旨を対象者（H）へ警告するためのサインを表示する。また、表示部（61）は、判定部（38）が対象者（H）の飲み過ぎを判定すると、その旨を対象者（H）へ傾向するためのサインを表示する。
【００６４】
操作部（62）は、対象者（H）が飲食を開始したことを入力可能に構成される。つまり、対象者（H）は、飲食を開始する際、操作部（62）の所定のアイコン等をタッチする。すると、対象者（H）が飲食を開始する旨の信号が、端末部（60）から通信部（50）を介して判定ユニット（30）へ出力される。このタイミングに同期して、判定部（38）では、対象者（H）が飲食を開始する前の期間（第１期間Ｔ１）と、飲食を開始した後の期間（第２期間Ｔ２）とが区分される。
【００６５】
−動作−
過剰摂取警告システム（S）の動作について、図２〜図４を参照しながら説明する。過剰摂取警告システム（S）では、各過剰摂取判定装置（10）が基本的に同じ動作を行う。
【００６６】
図３に示すように、過剰摂取警告システム（S）が開始されると、まず、飲食を開始する前の第１期間Ｔ１において、対象者（H）の生体情報が検出され、この生体情報が記憶部（41）に漸次記憶されていく。
【００６７】
具体的に、第１期間Ｔ１では、対象者（H）の体動信号が漸次抽出され（ステップＳｔ１）、その後、体動信号から抽出された心拍信号に基づき対象者（H）の心拍間隔が抽出される（ステップＳｔ２）。次いで、ステップＳｔ３では、心拍間隔に基づき心拍ゆらぎが導出され、この心拍ゆらぎに基づいて上記ＨＦも求められる。また、ステップＳｔ３では、この心拍間隔に基づき心拍数も求められる。このような第１期間Ｔ１におけるＨＦ及び心拍数のデータの蓄積は、ステップＳｔ４において、対象者（H）が飲食を開始することを操作部（62）に入力するまで継続して行われる。
【００６８】
ステップＳｔ４において、対象者（H）が飲食を開始することを操作部（62）に入力すると、第１期間Ｔ１が確定し、例えばこの第１期間Ｔ１におけるＨＦや心拍数が求められる。そして、ステップＳｔ５へと移行し、第２期間Ｔ２における生体情報が記憶部（41）に漸次記憶されている。
【００６９】
具体的に、第２期間Ｔ２では、第１期間Ｔ１と同様、対象者（H）の体動信号が漸次抽出され（ステップＳｔ５）、その後、体動信号から抽出された心拍信号に基づき対象者（H）の心拍間隔が抽出される（ステップＳｔ６）。次いで、ステップＳｔ７では、心拍間隔に基づき心拍ゆらぎが導出され、この心拍ゆらぎに基づいて上記ＨＦも求められる。また、ステップＳｔ７では、この心拍間隔に基づき心拍数も求められる。
【００７０】
次いで、ステップＳｔ８では、対象者（H）が食べ過ぎであるか否かの判定が行われる。つまり、ステップＳｔ８では、第１期間Ｔ１で求められたＨＦと、ステップＳｔ５以降に求められた第２期間Ｔ２（即ち、飲食開始時から現在までの期間）のＨＦとの変化に基づいて、対象者（H）の食べ過ぎが判定される。
【００７１】
図４に示すように、食物の摂取の開始前の期間（食べ始め前）と、食物の摂取の開始後の期間（食べ始め後）とを比較すると、通常の場合（即ち、対象者（H）が適度に食物を摂取した場合）、ＨＦ（即ち、副交感神経の活性度を示す指標）が増大する。これに対し、対象者（H）の満腹中枢が正常に機能せず対象者（H）が過剰に食物を摂取する場合、食物の摂取を開始して所定時間（例えば３０分）が経過してもＨＦが増大しないことがある。また、対象者（H）が食物を過剰に摂取することで、ＨＦが逆に減少してしまうこともある。
【００７２】
そこで、本実施形態の食べ過ぎ判定部（39）では、この現象に着目し、以下の第１判定条件及び第２判定条件が成立すると、対象者（H）が食べ過ぎであると判定し、そうでない場合、対象者（H）が適度に食物を摂取していると判定する。
【００７３】
第１判定条件は、第１期間Ｔ１で求めたＨＦ（ＨＦ１ともいう）に対して、第２期間Ｔ２で求めたＨＦ（ＨＦ２ともいう）が、ステップＳｔ４で食事開始と判定されてから所定時間ΔＴ（例えば３０分）経過しても所定値Ａ１以上増大しないことである。つまり、第１判定条件は、対象者（H）が食物の摂取を開始してからΔＴが経過しても、ＨＦ２−ＨＦ１が所定値Ａ１以上にならないことともいえる。例えば所定値Ａ１は０に設定される。
【００７４】
第２判定条件は、第１期間Ｔ１で求めたＨＦ１に対して、第２期間Ｔ２で求めたＨＦ２が、所定値Ａ２より減少したことである。つまり、第２判定条件は、第２期間Ｔ２において、ＨＦ１−ＨＦ２が所定値Ａ２より大きくなったことともいえる。
【００７５】
本実施形態の食べ過ぎ判定部（39）は、第１判定条件と第２判定条件との双方が成立すると食べ過ぎと判定し、これらが成立しない場合、通常と判定する。しかし、食べ過ぎ判定部（39）は、第１判定条件のみ成立すると食べ過ぎと判定し、これが成立しない場合、通常と判定してもよい。また、食べ過ぎ判定部（39）は、第２判定条件のみ成立すると食べ過ぎと判定し、これが成立しない場合、通常と判定してもよい。
【００７６】
食べ過ぎ判定部（39）で食べ過ぎと判定されると、そのことを示す信号が通信部（50）を介して端末部（60）へ受信される。すると、端末部（60）の表示部（61）には、対象者（H）が食べ過ぎであることを示すサインが表示される（ステップＳｔ９）。
【００７７】
次いで、ステップＳｔ１０では、対象者（H）が飲み過ぎであるか否かの判定が行われる。つまり、ステップＳｔ１０では、第１期間Ｔ１で求められたＨＦ及び心拍数と、ステップＳｔ５以降に求められた第２期間Ｔ２のＨＦ及び心拍数の各変化に基づいて、対象者（H）の飲み過ぎが判定される。
【００７８】
図５に示すように、アルコール飲料の摂取の開始前の期間（飲み始め前）と、アルコール飲料の摂取の開始後の期間（飲み始め後）とを比較すると、通常の場合（即ち、対象者（H）が適度にアルコール飲料を摂取した場合）、ＨＦ（即ち、副交感神経の活性度を示す指標）が増大する。これに対し、対象者（H）がアルコール飲料を過剰に摂取すると、所定時間が経過してもＨＦが増大しない、あるいはＨＦが逆に減少してしまうことがある。
【００７９】
また、図５に示すように、飲み始め前と飲み始め後とを比較すると、通常の場合、対象者（H）の心拍数はほとんど変化しない。これに対し、対象者（H）がアルコール飲料を過剰に摂取すると、対象者（H）の心拍数が増大する。
【００８０】
そこで、本実施形態の飲み過ぎ判定部（40）では、この現象に着目し、以下の第３判定条件、第４判定条件、及び第５判定条件が成立すると、対象者（H）が飲み過ぎであると判定し、そうでない場合、対象者（H）が適度に食物を摂取していると判定する。
【００８１】
第３判定条件は、第１期間Ｔ１で求めた心拍数（ＨＲ１）に対して、第２期間Ｔ２で求めた心拍数（ＨＲ２）が、所定値Ａ３より増大したことである。つまり、第３判定条件は、第２期間Ｔ２において、ＨＲ２−ＨＲ１が所定値Ａ３よりも大きくなったことといえる。
【００８２】
第４判定条件は、第１期間Ｔ１で求めたＨＦ１に対して、第２期間Ｔ２で求めたＨＦ２が、ステップＳｔ４で食事開始と判定されてから所定時間ΔＴ経過しても所定値Ａ４以上増大しないことである。つまり、第４判定条件は、対象者（H）が食物の摂取を開始してからΔＴが経過しても、ＨＦ２−ＨＦ１が所定値Ａ４以上にならないことともいえる。所定値Ａ４は例えば０に設定される。
【００８３】
第５判定条件は、第１期間Ｔ１で求めたＨＦ１に対して、第２期間Ｔ２で求めたＨＦ２が、所定値Ａ５より減少したことである。つまり、第５判定条件は、第２期間Ｔ２において、ＨＦ１−ＨＦ２が所定値Ａ５より大きくなったことともいえる。
【００８４】
本実施形態の飲み過ぎ判定部（40）は、第３判定条件、第４判定条件、及び第５判定条件の全てが成立すると飲み過ぎと判定し、これらが成立しない場合、通常と判定する。しかし、飲み過ぎ判定部（40）は、第３判定条件と第４判定条件が成立すると飲み過ぎと判定し、これらが成立しない場合、通常と判定してもよい。また、飲み過ぎ判定部（40）は、第３判定条件と第５判定条件が成立すると飲み過ぎと判定し、これらが成立しない場合、通常と判定してもよい。また、飲み過ぎ判定部（40）は、第３判定条件のみが成立すると飲み過ぎと判定し、これが成立しない場合、通常と判定してもよい。即ち、対象者（H）の心拍数を用いる第３判定条件は、対象者（H）の飲み過ぎを判定するための必要条件である。これにより、判定部（38）は、対象者（H）が食べ過ぎであるか飲み過ぎであるかを確実に判別できる。
【００８５】
飲み過ぎ判定部（40）で飲み過ぎと判定されると、そのことを示す信号が通信部（50）を介して端末部（60）へ受信される。すると、端末部（60）の表示部（61）には、対象者（H）が飲み過ぎであることを示すサインが表示される（ステップＳｔ１１）。
【００８６】
−実施形態の効果−
上記実施形態では、対象者（H）が飲食物の摂取を開始する前と後とで、対象者（H）の心拍信号に基づく指標（ＨＦやＨＲ）を求め、これらの指標の変化に基づき対象者（H）の飲食物の過剰摂取を判断している。従って、従来例のように、対象者の特徴、摂取した飲食物の種類や量等を入力することなく、簡便に飲食物の過剰摂取を判定できる。
【００８７】
また、対象者（H）が飲食物の摂取を開始した後、この飲食物の摂取中において対象者（H）が飲食物を過剰に摂取しているか否かを判定できる。従って、過剰摂取と判定された後、対象者（H）の飲食を速やかに終了させることができ、食べ過ぎや飲み過ぎを最小限に抑えることができる。
【００８８】
また、飲食物の摂取の開始前と開始後のＨＦやＨＲの変化は、対象者（H）の個体差を考慮した値となる。従って、対象者（H）の個体差に伴い、飲食物の過剰摂取の判定結果に誤差が生じることも抑制できる。
【００８９】
食べ過ぎ判定部（39）では、対象者（H）の副交感神経活動の指標であるＨＦの変化を利用することで、対象者（H）の食べ過ぎを簡便且つ速やかに判定できる。また、飲み過ぎ判定部（40）では、対象者（H）の副交感神経活動の指標であるＨＦの変化を利用することで、対象者（H）の飲み過ぎを簡便且つ速やかに判定できる。
【００９０】
更に、飲み過ぎ判定部（40）は、食べ過ぎ判定部（39）と異なり、対象者（H）の心拍数の変化を飲み過ぎの判定の指標としているため、対象者（H）が飲み過ぎか食べ過ぎかを確実に判別でき、飲み過ぎと食べ過ぎの双方の警告を表示部（61）に示すことができる。
【００９１】
表示部（61）に食べ過ぎを示すサインが表示されることで、対象者（H）やその周囲の人は、対象者（H）が食物を過剰に摂取していることを速やかに把握できる。従って、自宅のダイニングにおいて、対象者（H）が食物を過剰に摂取してしまうことを未然に回避でき、対象者（H）の肥満防止、健康管理等に役立てることができる。
【００９２】
表示部（61）に飲み過ぎを示すサインが表示されることで、対象者（H）やその周囲の人は、対象者（H）がアルコール飲料を過剰に摂取していることを速やかに把握できる。従って、自宅のダイニングにおいて、対象者（H）がアルコール飲料を過剰に摂取してしまうことを未然に回避でき、対象者（H）の悪酔いや二日酔いの防止、健康管理等に役立てることができる。
【００９３】
上記実施形態では、椅子（C）の座部（C1）に対象者（H）の体動が作用する感圧チューブ（20）を設けたので、座部（C1）に着座した対象者（H）の飲食物の過剰摂取を簡便に判定できる。
【００９４】
−実施形態１の変形例−
上記実施形態１については、以下のような変形例の構成としてもよい。
【００９５】
〈変形例１〉
図６に示す変形例１は、上述した実施形態に係る過剰摂取判定システム（S）において、過剰摂取判定装置（10）の判定部（38）の飲み過ぎ判定部（40）を省略したものである。つまり、変形例１の過剰摂取判定装置（10）では、対象者（H）の食べ過ぎ判定のみが行われる。対象者（H）の食べ過ぎの判定方法は、上記実施形態と同様である。そして、対象者（H）が食べ過ぎと判定されると表示部（61）にその旨のサインが表示される。それ以外の作用効果は、上記実施形態と同様である。
【００９６】
〈変形例２〉
図７に示す変形例２は、上述した実施形態に係る過剰摂取判定システム（S）において、過剰摂取判定装置（10）の判定部（38）の食べ過ぎ判定部（39）を省略したものである。つまり、変形例２の過剰摂取判定装置（10）では、対象者（H）の飲み過ぎ判定のみが行われる。対象者（H）の飲み過ぎの判定方法、上記実施形態と同様であってもよい。加えて、変形例２では、心拍数ＨＲを判定指標とせず、上述した判定条件４及び判定条件５の一方又は両方が成立すると、飲み過ぎと判定してもよい。変形例２では、飲み過ぎ判定のみが行われるため、食べ過ぎ判定と飲み過ぎ判定とを判別する必要がないからである。そして、対象者が飲み過ぎと判定されると表示部（61）にその旨のサインが表示される。それ以外の作用効果は、上記実施形態と同様である。
【００９７】
《その他の実施形態》
上記実施形態や各変形例では、食べ過ぎや飲み過ぎを判定するための指標として、ＨＦ値を用いている。しかしながら、このＨＦ値に換えて、対象者（H）の副交感神経活動の活性度を示す指標となるＳＤＮＮ（Standard Deviation of The NN(RR) Interval）を用いてもよい。ＳＤＮＮは、所定期間における心拍間隔の標準偏差値であり、上述したＨＦとＬＦの和（ＨＦ＋ＬＦ）に概ね近似する値である。従って、上記ＨＦに換えて、このＳＤＮＮを対象者（H）の食べ過ぎや飲み過ぎを示す判定指標として用いることができる。つまり、図４及び図５に示すように、通常時及び過剰摂取時におけるＳＤＮＮの変化の挙動は、ＨＦと概ね同じである。従って、上記実施形態に係る食べ過ぎ判定部（39）や飲み過ぎ判定部（40）の各判定において、ＨＦに換えてＳＤＮＮを用いることで、対象者（H）の食べ過ぎや飲み過ぎを同様にして判定することができる。
【００９８】
上記実施形態や各変形例では、感圧チューブ（20）は、椅子（C）の座部（C1）に設けられている。しかしながら、例えば座布団や絨毯等の他の座部（C1）に感圧チューブ（20）の感圧部本体（21）を設けてもよい。また、この感圧チューブ（20）の感圧部本体（21）を座部（C1）の内部に配置してもよい。これにより、感圧部本体（21）が対象者（H）に目視できないように構成されるため、例えば対象者（H）が緊張を覚えることで、感圧チューブ（20）で検出される生体信号に誤差が生じてしまうことを防止できる。
【００９９】
上記実施形態や各変形例では、過剰摂取警告システム（S）を一般家庭のダイニングに適用している。しかし、過剰摂取警告システム（S）をレストラン、回転寿司店、居酒屋等の飲食店に適用してもよい。この場合、対象者（H）の食べ過ぎや飲み過ぎを警告するサインを表示する表示部（61）は、対象者（H）だけでなく、店員にも確認できるように配置されるのが好ましい。これにより、店員は、対象者（H）の食べ過ぎや飲み過ぎを考慮して、それに伴う接客を行うことができる。
【産業上の利用可能性】
【０１００】
以上説明したように、本発明は、過剰摂取判定装置、及びそれを備えた過剰摂取警告装置について有用である。
【符号の説明】
【０１０１】
S       過剰摂取警告システム（過剰摂取警告装置）
10      過剰摂取判定装置
20      感圧チューブ
31      マイクロフォン（受圧部）
32      生体情報検出部
38      判定部
39      食べ過ぎ判定部
40      飲み過ぎ判定部
61      表示部
C1      座部
H       対象者
【図１】
2016101305.tif 000003
【図２】
2016101305.tif 000004
【図３】
2016101305.tif 000005
【図４】
2016101305.tif 000006
【図５】
2016101305.tif 000007
【図６】
2016101305.tif 000008
【図７】
2016101305.tif 000009